(57)【要約】【課題】  この発明は、敷設作業を簡易化し、曲面及び折れ面での敷設を対応可能にし、且つ、浮き上がり・捲れの無い安全で作業性が良く、施工費用の掛からない安価な連節型ブロックを開発・提供する事にある。【解決手段】  この発明のブロックは、輪郭の凹凸部により構成される躯体形状による水平方向の連結と鉛直方向を固定可能な凹凸ヒンジ係止部を一体形成して設けたものである。又、複数のブロックを敷設した状態において、水平方向の輪郭凹凸継手及び鉛直方向の凹凸ヒンジ係止部の固定可能による浮き上がり・捲れ防止と、敷設作業の簡易化・曲面及び折れ面での敷設を対応可能にしたものである。【選択図】  図１
2006077415.tif 000002
【特許請求の範囲】
【請求項１】
主に河川・海岸等の護岸等に使用する連結・連節ブロックにおいて、該ブロック（１）の周側面を嵌脱可能な凹凸部（１ａ）（１ｂ）に形成し、該ブロック（１）の水平方向の連結と、鉛直方向を固定、且つ、連結時には回動可能な凹凸ヒンジ係止部（１ｃ）（１ｄ）を一体形成した事を特徴とする連節型ブロック。
【請求項２】
主に河川・海岸等の護岸等に使用する連結・連節ブロックにおいて、該ブロック（１）の周側面を嵌脱可能な凹凸部（１ａ）（１ｂ）に形成し、該ブロック（１）の水平方向の連結と、鉛直方向を固定、且つ、連結時には回動可能な凹凸ヒンジ係止部（１ｃ）（１ｄ）を一体形成した複数のブロックを敷設し、水平方向の凹凸（１ａ）（１ｂ）継手及び鉛直方向の凹凸ヒンジ係止部（１ｃ）（１ｄ）の固定可能による浮き上がり・捲れ防止と、敷設作業の簡易化・曲面及び折れ面での敷設を対応可能にした事を特徴とする連節型ブロックの敷設方法。
【発明の詳細な説明】
【技術分野】
【０００１】
この発明は、主に河川・海岸等の護岸等に使用する連節型ブロック及びその敷設方法に関するものである。
【背景技術】
【０００２】
従来、護岸・河川堤防・道路・造成等の法面及び斜面の保護工事には、通常、育成基盤材・植生人口張芝等による法面緑化工及び張りブロック・格子枠ブロック（コンクリート・鉄・樹脂製）等が用いられている。
【０００３】
又、育成基盤材・植生人口張芝等は、緑化基盤材（種子吹付）・植生筋芝・植生張芝を施工現場の法面成形地盤面に対し直接施工が一般的である。
【０００４】
そして、この直接施工は、安価ではあるが施工直後の直接降雨による育成基盤材等の流出又は気象条件等により植生効果が不安定であり、繰り返し植生工を行う場合がある。又、地表面の侵食があり再成形等の補修を行う場合がある。
【０００５】
又、張りブロック・格子枠ブロックは、各製品が分割して製造された後、施工現場に運搬され敷設面において組立施工するのが一般的である。
【０００６】
この組立施工では、クレーン等により施工箇所に搬送された後、斜面上で作業が行われ敷設作業は長時間斜面上で安全ロープ等を装備して作業を行う為、危険、且つ、労力と時間を割いている。
【０００７】
又、法面の斜面肩部と水平部との連結性が無く、製品の斜面上での滑動を抑制する場合、斜面肩水平部を杭打ち等で行う安定方法が一般的であるが、張りブロック・格子枠ブロックの場合は独立した各ブロック及び各格子枠に抑制杭打ち等を必要とし、安定用抑制杭打ちが多数必要となる為、安全性・作業性・経済性面で問題があった。
【０００８】
そこで、これまでに出願されている連節ブロックの特許文献を参考の為に紹介する。（特許文献１〜２参照。）
【特許文献１】実開平７−２５０２６
【特許文献２】特開２００１−１２３５７７
【０００９】
従って、これからのブロック安定方法は、抑制杭打ちの必要の無いブロック又は施工方法を考案・発明し、安全で作業性が良く、施工費用の掛からない安価なブロックの開発が望まれる。
【発明の開示】
【発明が解決しようとする課題】
【００１０】
そこで、上記課題を解決する為に、この発明は、敷設作業を簡易化し、曲面及び折れ面での敷設を対応可能にし、且つ、浮き上がり・捲れの無い安全で作業性が良く、施工費用の掛からない安価な連節型ブロックを開発・提供する事にある。
【課題を解決するための手段】
【００１１】
この課題を解決する為の手段として、この発明は、ブロックの周側面を嵌脱可能な凹凸部に形成し、該ブロックの水平方向の連結と、鉛直方向を固定、且つ、連結時には回動可能な凹凸ヒンジ係止部を一体形成したものである。
【００１２】
又、ブロックの周側面を嵌脱可能な凹凸部に形成し、該ブロックの水平方向の連結と、鉛直方向を固定、且つ、連結時には回動可能な凹凸ヒンジ係止部を一体形成した複数のブロックを敷設し、水平方向の凹凸継手及び鉛直方向の凹凸ヒンジ係止部の固定可能による浮き上がり・捲れ防止と、敷設作業の簡易化・曲面及び折れ面での敷設を対応可能にした連節型ブロックの敷設方法。
【発明の効果】
【００１３】
この発明の効果として、水平方向の連結及び鉛直方向の固定を可能とする事で、敷設作業の簡易化及び曲面・折れ面での敷設対応が可能と成り、全ブロックがフレキシブルに連節される事で、個々の浮き上がりや捲れが無く、連結金具を必要としない為、安全性・経済性・作業性面で極めて有益なる効果を奏するものである。
【００１４】
又、この発明は、吊り上げ・設置用把持及びブロック搬送装置（特許第２６３１２０６号）での施工が可能である為、特に作業性・運搬性面で効率的である。
【発明を実施するための最良の形態】
【００１５】
この発明の最良の形態として、ブロックの大きさ（寸法・形状）や使用場所に応じた材質及び凹凸ヒンジ係止部の位置・寸法設定をする事が重要である。
【実施例１】
【００１６】
そこで、この発明の一実施例を図１〜図２に基づいて詳述すると、主に河川・海岸等の護岸等に使用する連結・連節ブロックにおいて、該ブロック（１）の周側面を嵌脱可能な凹凸部（１ａ）（１ｂ）に形成し、該ブロック（１）の水平方向の連結と、鉛直方向を固定、且つ、連結時には回動可能な凹凸ヒンジ係止部（１ｃ）（１ｄ）を一体形成した事を特徴とする連節型ブロックから構成される。
【００１７】
又、主に河川・海岸等の護岸等に使用する連結・連節ブロックにおいて、該ブロック（１）の周側面を嵌脱可能な凹凸部（１ａ）（１ｂ）に形成し、該ブロック（１）の水平方向の連結と、鉛直方向を固定、且つ、連結時には回動可能な凹凸ヒンジ係止部（１ｃ）（１ｄ）を一体形成した複数のブロックを敷設し、水平方向の凹凸（１ａ）（１ｂ）継手及び鉛直方向の凹凸ヒンジ係止部（１ｃ）（１ｄ）の固定可能による浮き上がり・捲れ防止と、敷設作業の簡易化・曲面及び折れ面での敷設を対応可能にした連節型ブロックの敷設方法。
【００１８】
次に、この発明の連節型ブロックについて詳細に説明すると、図１・図２に示すブロック（１）の部材はポーラスコンクリート製で形成され、ブロック（１）本体の寸法は縦が８７５ｍｍで、横が９７２ｍｍで最大板厚が２５０ｍｍで、ブロック設置重量が２９２．７Ｋｇｆ／ｍ2である。
【００１９】
次にブロック（１）の施工方法について説明すると、例えば折れ面の傾斜した場所に設置する場合は、図３に示す様に、傾斜の下部から河川に対して平行に、ブロックの係止部（１ａ）（１ｂ）・（１ｃ）（１ｄ）同士を噛み合わせながら、最初は一列と二列を交互に一個ずつ順番に敷設していき、一二列目が終わった時点で、今度は徐々に一列ずつ上方に向けて連節していく。
【産業上の利用可能性】
【００２０】
この発明の連節ブロックは、凹凸部により構成される躯体形状による水平方向の連結と鉛直方向を固定可能な凹凸ヒンジ係止部を一体形成する事で曲面及び折れ面での敷設対応が可能となり、又、浮き上がりや捲れが無くなる事で土木建設市場に寄与する点で、産業上の利用可能性を有する。
【図面の簡単な説明】
【００２１】
【図１】この発明の一実施例を示し、（Ａ）は平面図で、（Ｂ）は正面図である。
【図２】この発明の一実施例を示し、（Ａ）は右側面図で、（Ｂ）は図１（Ａ）のａ−ａ矢視断面図で、（Ｃ）は図１（Ａ）のｂ−ｂ矢視断面図で、（Ｄ）は図１（Ｂ）のｃ−ｃ矢視断面図である。
【図３】この発明の使用例を示し、（Ａ）は平面図で、（Ｂ）は断面図である。
【符号の説明】
【００２２】
１  ブロック
１ａ  凹部
１ｂ  凸部
１ｃ  ヒンジ係止部
１ｄ  ヒンジ係止部
【図１】
2006077415.tif 000003
【図２】
2006077415.tif 000004
【図３】
2006077415.tif 000005